(57)【要約】【課題】一層の小型化が可能なディスク装置を提供する。【解決手段】筐体１０は、中心軸Ｃと、中心軸の両側にそれぞれ位置した第１および第２領域１５ａ、１５ｂとを有している。筐体内には、記録媒体２０、記録媒体を支持し回転させる駆動モータ、記録媒体に対して情報処理を行うヘッド２４、ヘッドを移動自在に支持しているとともに記録媒体に対して移動させるヘッドアクチュエータ２６、ヘッドアクチュエータを退避位置にラッチするラッチ機構３２が設けられている。記録媒体は、中心軸Ｃに対し第１領域側に偏心して配設され、ラッチ機構は第２領域に配置されている。ヘッドアクチュエータは、第２領域に設けられた軸受部と、軸受部５２から第１領域に延出したアームと、アームから延出し第１領域に位置しているとともにヘッドを支持しサスペンションと、第２領域に配設されアームを回動させる駆動部２８と、を有している。【選択図】  図３
2005317164.tif 000002
【特許請求の範囲】
【請求項１】
中心軸と、中心軸の両側にそれぞれ位置した第１および第２領域とを有した矩形箱状の筐体と、
前記筐体内に前記中心軸に対し前記第１領域側に偏心して配設されたディスク状の記録媒体と、
前記筐体内に配設され、前記記録媒体を支持しているとともに回転させる駆動モータと、
前記記録媒体に対して情報処理を行うヘッドと、
前記筐体内に設けられ、前記ヘッドを移動自在に支持しているとともに前記ヘッドを前記記録媒体に対して移動させるヘッドアクチュエータと、
前記第２領域に設けられ、前記ヘッドアクチュエータを退避位置にラッチするラッチ機構と、を備え、
前記ヘッドアクチュエータは、前記第２領域に設けられた軸受部と、前記軸受部から前記第１領域に延出したアームと、前記アームから延出し前記第１領域に位置しているとともに前記ヘッドを支持したサスペンションと、前記第２領域に配設され前記アームを回動させる駆動部と、を有しているディスク装置。
【請求項２】
前記ヘッドアクチュエータは、前記軸受部から前記アームと反対方向へ延出した支持フレームを有し、前記駆動部は、前記支持フレームに取り付けられたボイスコイルと、前記第２領域内に配設され、前記ボイスコイルと対向して位置したヨークと、を備えている請求項１に記載のディスク装置。
【請求項３】
前記第１領域において前記記録媒体の周縁部近傍に配設され、前記ヘッドを前記記録媒体から離間した位置に保持するランプ機構を備えている請求項１又は２に記載のディスク装置。
【請求項４】
前記第１領域に配設され、前記ヘッドに電気的に接続された基板ユニットを備えている請求項１ないし３のいずれか１項に記載のディスク装置。
【請求項５】
前記中心軸と直交する方向に沿った前記筐体の幅をＷ、前記中心軸に対する前記記録媒体の偏心距離をＳとした場合、偏心距離Ｓは幅Ｗの５ないし６％に設定されている請求項１ないし４のいずれか１項に記載のディスク装置。
【請求項６】
前記筐体の外面に重ねて設けられた制御回路基板と、前記制御回路基板上に実装された第１コネクタと、前記第１コネクタに接続されているとともに前記駆動モータに接続された第２コネクタと、を備え、
前記筐体は、前記筐体の外面に開口しているとともに前記筐体内部に突出して形成され前記第１および第２コネクタを収容した収納凹所を有している請求項１ないし５のいずれか１項に記載のディスク装置。
【請求項７】
前記収納凹所は、前記第２領域内で前記筐体の角部に設けられている請求項６に記載のディスク装置。
【請求項８】
前記筐体は、長手方向の寸法が約３２ｍｍ、幅方向の寸法が約２４ｍｍに形成されている請求項１ないし７のいずれか１項に記載のディスク装置。
【請求項９】
前記記録媒体は、直径０．８５インチに形成されている請求項１ないし８のいずれか１項に記載のディスク装置。
【請求項１０】
矩形箱状の筐体と、
前記筐体内に配設されたディスク状の記録媒体と、
前記筐体内に配設され、前記記録媒体を支持しているとともに回転させる駆動モータと、
前記記録媒体に対して情報処理を行うヘッドと、
前記筐体内に設けられ、前記ヘッドを移動自在に支持しているとともに前記ヘッドを前記記録媒体に対して移動させるヘッドアクチュエータと、
前記筐体の外面に重ねて設けられた制御回路基板と、前記制御回路基板上に実装された第１コネクタと、前記第１コネクタに接続されているとともに前記駆動モータに接続された第２コネクタと、を備え、
前記筐体は、前記筐体の外面に開口しているとともに前記筐体内部に突出して形成され前記第１および第２コネクタを収容した収納凹所を有しているディスク装置。
【請求項１１】
前記収納凹所は、前記筐体の角部に設けられている請求項１０に記載のディスク装置。
【発明の詳細な説明】
【技術分野】
【０００１】
この発明は、記録媒体としてのディスクを有したディスク装置に関する。
【背景技術】
【０００２】
近年、コンピュータの外部記録装置や画像記録装置として磁気ディスク装置、光ディスク装置などのディスク装置が広く用いられている。  
ディスク装置として、例えば、磁気ディスク装置は、一般に、矩形箱状の筐体を有している。筐体内には、磁気記録媒体としての磁気ディスク、この磁気ディスクを支持および回転させる駆動手段としてのスピンドルモータ、磁気ディスクに対して情報の書き込み、読み出しを行なう複数の磁気ヘッド、これらの磁気ヘッドを磁気ディスクに対して移動自在に支持したヘッドアクチュエータ、ヘッドアクチュエータを回動および位置決めするボイスコイルモータ、ヘッドＩＣ等を有する基板ユニット等が収納されている。
【０００３】
筐体の外面には、基板ユニットを介してスピンドルモータ、ボイスコイルモータ、および磁気ヘッドの動作を制御するプリント回路基板がねじ止めされている。プリント回路基板の端部には、磁気ディスク装置を他の外部機器に接続するためのインターフェース（Ｉ／Ｆ）コネクタが半田付けされている。
【０００４】
磁気ディスク装置として、カード状に薄く形成され、例えばパーソナルコンピュータのカードスロットに装填可能としたものが提供されている（例えば、特許文献１）。このようなカード状の磁気ディスク装置では、従来の磁気ディスク装置に比較して薄型、かつ、小型にする必要があるため、板状のベースに種々の構成要素を実装するとともに、ベースの周縁に沿って支持枠を固定し、更に、この支持枠に板状のトップカバーを取付けている。また、ベースの裏面側にプリント回路基板を設け、プリント回路基板上のＩ／Ｆコネクタは、支持枠に設けられた専用の固定部材により位置決め保持されている。
【特許文献１】特開２００１−２１００５８号公報
【発明の開示】
【発明が解決しようとする課題】
【０００５】
近年では、磁気ディスク装置をより多種の電子機器、特に、より小型の電子機器の記録装置として用いることができるように、磁気ディスク装置の一層の小型化が進められている。しかしながら、磁気ディスク装置を小型にする場合においても、ディスク装置の基本的構成要素を削減することはできず、小型のベース上に充分な設置スペース確保することが困難となる。また、プリント回路基板と磁気ディスク装置内部の電子部品とを電気的に接続する場合、通常、スタッキングコネクタ等を用いて接続される。しかしながら、これらのコネクタは比較的高さが高く、プリント回路基板を含む磁気ディスク装置全体の厚さを薄くする上で障害となる。
【０００６】
この発明は以上の点に鑑みなされたもので、その目的は、一層の小型化が可能なディスク装置を提供することにある。
【課題を解決するための手段】
【０００７】
上記目的を達成するため、この発明に係るディスク装置は、中心軸と、中心軸の両側にそれぞれ位置した第１および第２領域とを有した矩形箱状の筐体と、前記筐体内に前記中心軸に対し前記第１領域側に偏心して配設されたディスク状の記録媒体と、前記筐体内に配設され、前記記録媒体を支持しているとともに回転させる駆動モータと、前記記録媒体に対して情報処理を行うヘッドと、前記筐体内に設けられ、前記ヘッドを移動自在に支持しているとともに前記ヘッドを前記記録媒体に対して移動させるヘッドアクチュエータと、前記第２領域に設けられ、前記ヘッドアクチュエータを退避位置にラッチするラッチ機構と、を備え、  
前記ヘッドアクチュエータは、前記第２領域に設けられた軸受部と、前記軸受部から前記第１領域に延出したアームと、前記アームから延出し前記第１領域に位置しているとともに前記ヘッドを支持したサスペンションと、前記第２領域に配設され前記アームを回動させる駆動部と、を有している。
【０００８】
また、この発明の他の態様に係るディスク装置は、矩形箱状の筐体と、前記筐体内に配設されたディスク状の記録媒体と、前記筐体内に配設され、前記記録媒体を支持しているとともに回転させる駆動モータと、前記記録媒体に対して情報処理を行うヘッドと、前記筐体内に設けられ、前記ヘッドを移動自在に支持しているとともに前記ヘッドを前記記録媒体に対して移動させるヘッドアクチュエータと、前記筐体の外面に重ねて設けられた制御回路基板と、前記制御回路基板上に実装された第１コネクタと、前記第１コネクタに接続されているとともに前記駆動モータに接続された第２コネクタと、を備え、前記筐体は、前記筐体の外面に開口しているとともに前記筐体内部に突出して形成され前記第１および第２コネクタを収容した収納凹所を有しているディスク装置。
【発明の効果】
【０００９】
以上詳述したように、この発明によれば、筐体の中心軸に対して記録媒体を偏心して設けることにより、構成部材を筐体内で効率良く配置することができ、一層の小型化が可能なディスク装置を提供することができる。
【発明を実施するための最良の形態】
【００１０】
以下図面を参照しながら、この発明をハードディスクドライブ（以下ＨＤＤと称する）に適用した実施形態について詳細に説明する。  
図１および図２に示すように、ＨＤＤは後述する種々の部材が収納されたほぼ矩形箱状の筐体１０と、筐体１０の外面に重ねて設けられた矩形状の制御回路基板１２と、を備えている。筐体１０および制御回路基板１２は、例えば、長さＬが約３２ｍｍ、幅Ｗが約２４ｍｍに形成され、筐体および制御回路基板を含む厚さＴが約３．３ｍｍ程度に形成されている。
【００１１】
ＨＤＤの本体を構成した筐体１０は、互いにほぼ等しい寸法に形成された第１シェル１０ａおよび第２シェル１０ｂにより構成されている。第１および第２シェル１０ａ、１０ｂは、それぞれ金属によりほぼ矩形状に形成され、周縁部には側壁が立設されている。第１および第２シェル１０ａ、１０ｂは、その周縁部同士が対向した状態で、互いに向い合わせて配置されている。第１および第２シェル１０ａ、１０ｂの周縁部には帯状のシール材１６が巻き付けられ、このシール材により周縁部が互いに接続されているとともに、周縁部間の隙間がシールされている。これにより、矩形箱状の筐体１０が構成されている。
【００１２】
第１シェル１０ａの底面は矩形状の実装面１１を形成している。そして、この実装面１１の角を含む筐体１０の４つの角は円弧状に丸めて形成されている。これにより、筐体１０の周縁部に巻装されたシール材１６が、筐体の角で損傷することを防止しているとともに、シール材の浮きによる気密性の悪化を防止している。
【００１３】
図２および図３に示すように、筐体１０は、長手方向の中心軸Ｃを有し、この中心軸の両側に位置した第１領域１５ａおよび第２領域１２ｂを有している。筐体１０内において、筐体の周縁部には複数の支持ポスト１８が設けられている。各支持ポスト１８は、ゴム等の弾性材を介して第１シェル１０ａの内面に固定された基端を有し、第１シェルの内面に対してほぼ垂直に立設されている。各支持ポスト１８の位置で、実装面１１にねじ孔が形成され、支持ポスト内まで延びている。
【００１４】
筐体１０内には、情報記録媒体として機能する例えば、０．８５インチの磁気ディスク２０、この磁気ディスクを支持および回転させる駆動モータとしてのスピンドルモータ２２、磁気ディスクに対して情報の書き込み、読み出しを行なう磁気ヘッド２４、磁気ディスク２０に対して磁気ヘッドを移動自在に支持したキャリッジ２６、キャリッジを回動および位置決めするボイスコイルモータ（以下ＶＣＭと称する）２８、磁気ヘッドが磁気ディスクの周縁部に移動した際、磁気ヘッドを磁気ディスクから離間した位置にアンロードして保持するランプロード機構３０、キャリッジを退避位置に保持する電磁ラッチ３２、およびヘッドＩＣ等を有する基板ユニット３４等が収納されている。
【００１５】
スピンドルモータ２２は、第１シェル１０ａに取り付けられている。スピンドルモータ２２は枢軸３６を有し、この枢軸は第１シェル１０ａの内面に固定され、この内面に対してほぼ垂直に立設されている。枢軸３６の延出端は、第２シェル１０ｂの外側からねじ込まれた固定ねじ３７により第２シェルにねじ止めされている。これにより、枢軸３６は第１および第２シェル１０ａ、１０ｂに両持ち支持されている。
【００１６】
枢軸３６には、図示しない軸受を介してロータが回転自在に支持されている。ロータの第２シェル１０ｂ側の端部は円柱形状のハブ４３を構成し、このハブには、磁気ディスク２０が同軸的に嵌合されている。ハブ４３の端部には、環状のクランプリング４４が嵌合されて、磁気ディスク２０の円周縁部を保持している。これにより、磁気ディスク２０はロータに固定され、ロータと一体的に回転可能に支持されている。
【００１７】
ロータの第１シェル１０ａ側の端部には図示しない環状の永久磁石が固定され、ロータと同軸的に位置している。スピンドルモータ２２は、第１シェル１０ａに取り付けられたステータコア、およびこのステータコアに巻回された複数のコイルを有し、これらステータコアおよびコイルは、永久磁石の外側に隙間を置いて配置されている。
【００１８】
スピンドルモータ２２の枢軸３６の中心、および磁気ディスク２０の中心は、第１領域１５ａに設けられ、中心軸Ｃに対して偏心距離Ｓだけ偏心して位置している。すなわち、スピンドルモータ２２および磁気ディスク２０は、中心軸Ｃに対し、僅かに第１領域１５ａ側にずれて配設されている。偏心距離Ｓは筐体１０の幅Ｗの５ないし６％に設定され、ここでは、１．２ｍｍ程度に設定されている。
【００１９】
ヘッドアクチュエータを構成するキャリッジ２６は、第２領域１５ｂにおいて第１シェル１０ａの内面上に固定された軸受組立体５２を備えている。軸受部として機能する軸受組立体５２は、第１シェル１０ａの内面に対して垂直に立設された枢軸５３と、一対の軸受を介して枢軸５３に回転自在に支持された円筒形状のハブ５４と、を有している。枢軸５３の延出端は、第２シェル１０ｂの外側からねじ込まれた固定ねじ５６により第２シェルにねじ止めされている。これにより、枢軸５３は第１および第２シェル１０ａ、１０ｂに両持ち支持されている。
【００２０】
キャリッジ２６は、ハブ５４から第１領域１５ａ側に延出したアーム５８、アームの先端から延出した細長い板状のサスペンション６０、ハブ５４からアームと反対方向に延出した支持フレーム６２を備えている。サスペンション６０の延出端には、図示しないジンバル部を介して磁気ヘッド２４が支持されている。サスペンション６０および磁気ヘッド２４は第１領域に位置している。磁気ヘッド２４はサスペンション６０のばね力により磁気ディスク２０表面に向かって所定のヘッド荷重が印加されている。支持フレーム６２には、ＶＣＭ２８を構成するボイスコイル６４が一体的に固定され第２領域１５ｂに位置している。
【００２１】
キャリッジ２６を軸受組立体５２の回りで回動させる駆動部としてのＶＣＭ２８は、第２領域１５ｂにおいて第１シェル１０ａ上に固定され互いに隙間を置いて対向した一対のヨーク６３と、一方のヨークの内面に固定されボイスコイルに対向した図示しない磁石と、を備えている。ボイスコイル６４に通電することにより、キャリッジ２６は、図３に示す退避位置と磁気ディスク２０の表面上との間で磁気ディスク上を回動し、磁気ヘッド２４は磁気ディスク２０の所望のトラック上に位置決めされる。
【００２２】
ラッチ機構として機能する電磁ラッチ３２は、第２領域１５ｂにおいて第１シェル１０ａに設けられ、ヨーク６３を挟んで軸受組立体５２の反対側に位置している。電磁ラッチ３２は、ＨＤＤが衝撃等の外力を受けた際、退避位置に移動したキャリッジ２６をラッチし、キャリッジ２６が退避位置から作動位置へ移動することを防止する。
【００２３】
ランプロード機構３０は、第１領域１５ａにおいて第１シェル１０ａの内面に固定され磁気ディスク２０の周縁部と対向して位置したランプ部材７０と、サスペンション６０の先端から延出し係合部材として機能するタブ７２と、を備えている。ランプ部材７０は、タブ７２が係合可能なランプ面７３を有している。キャリッジ２６が磁気ディスク２０の内周部から磁気ディスク外周の退避位置まで回動すると、タブ７２は、ランプ部材７０のランプ面７３に係合し、その後、ランプ面の傾斜によって引き上げられ、磁気ヘッド２４のアンロード動作を行う。キャリッジ２６が退避位置まで回動すると、タブ７２はランプ部材７０のランプ面７３上に支持され、磁気ヘッド２４は磁気ディスク２０の表面から離間した状態に保持される。
【００２４】
基板ユニット３４は、フレキシブルプリント回路基板により形成された本体３４ａを有し、この本体３４ａは第１領域１５ａにおいて第１シェル１０ａの内面に固定されている。本体３４ａ上にはヘッドＩＣ、ヘッドアンプ等の電子部品が実装されている。基板ユニット３４は本体３４ａから延出したメインフレキシブルプリント回路基板（以下、メインＦＰＣと称する）３４ｂを有している。メインＦＰＣ３４ｂの延出端は、キャリッジ２６の軸受組立体５２近傍に接続され、更に、アーム５８およびサスペンション６０上に設けられた図示しないケーブルを介して磁気ヘッド２４に電気的に接続されている。基板ユニット３４の本体底面には制御回路基板１２と接続するための図示しないコネクタが実装されている。このコネクタは、第１シェル１０ａに形成された開口を介して第１シェルの実装面１１に露出している。
【００２５】
図３、図５および図６に示すように、筐体１０の第２領域１５ｂにおいて、第１シェル１０ａの一方の角部、つまり、ＶＣＭ２８が設けられている角部と反対側に位置した角部には、後述のコネクタを収納する収納凹所８０が形成されている。第１シェル１０ａの実装面１１には開口８１が形成され、この開口に、カップ状の遮蔽部材８２が第１シェルの外側から嵌合され筐体１０内に突出している。この遮蔽部材８２により、筐体１０の実装面１１に開口しているとともに筐体内部に突出した収納凹所８０が規定されている。なお、遮蔽部材８２は第１シェル１０ａと一体に形成されていてもよい。
【００２６】
図２ないし図６に示すように、プリント回路基板からなる制御回路基板１２は筐体１０の実装面１１とほぼ等しいの長さおよび幅を有した矩形状を有している。筐体１０の実装面１１には、スピンドルモータ２２に対応した円形の凸部７０ａ、および軸受組立体５２に対応した円形の凸部７０ｂがそれぞれ形成されている。制御回路基板１２には、これらの凸部７０ａ、７０ｂにそれぞれ対応した円形の開口７２ａ、７２ｂが形成されている。制御回路基板１２上には、複数の電子部品７４、コネクタ７１、コネクタ７５が実装されている。第１コネクタとして機能するコネクタ７５は、スタッキングコネクタにより構成され、筐体１０の収納凹所８０と対向する位置に設けられている。
【００２７】
制御回路基板１２には、ＨＤＤを外部機器と電気的に接続するためのフレキシブルプリント回路基板７６が接続されている。フレキシブルプリント回路基板７６は制御回路基板１２の一方の短辺から外方に引き出され、その延出端には複数の接続端子が形成されている。また、制御回路基板１２の４つの角部は、それぞれ斜めに、例えば、各辺に対して４５度の角度で斜めに切欠かれ、それぞれ切欠き部７７を形成している。
【００２８】
上記のように形成された制御回路基板１２は、筐体１０の実装面１１に重ねて配置され、複数のねじにより第１シェル１０ａにねじ止めされている。この際、制御回路基板１２は、４つの辺が実装面１１の４辺とそれぞれ整列した状態、つまり、実装面１１の４辺と一致した状態で配置されている。実装面１１に形成された凸部７０ａ、７０ｂは、それぞれ制御回路基板１２の開口７２ａ、７２ｂ内に配置されている。制御回路基板１２上に実装されたコネクタ７１は、基板ユニット３４のコネクタに接続される。
【００２９】
また、コネクタ７５には、第２コネクタとして機能するコネクタ８４が上方から接続されている。コネクタ８４は、フレキシブルプリント回路基板８６を介して、スピンドルモータ２２に電気的に接続されている。図６に示すように、制御回路基板１２を実装面１１に重ねて配置した状態において、コネクタ７５およびコネクタ８４は、筐体１０の収納凹所８０内に配置されている。
【００３０】
制御回路基板１２の４つの角部に形成された切欠き部７７は、それぞれ実装面１１の４つの角部に位置している。これにより、実装面１１の４つの角部は制御回路基板１２によって覆われることなく外部に露出している。実装面１１の露出した４つの角部を含む筐体１０の角部は、制御回路基板１２に接触することなく筐体を保持するための保持部７８をそれぞれ構成している。
【００３１】
以上のように構成されたＨＤＤによれば、磁気ディスク２０は、その中心が第１領域１５ａに設けられ、中心軸Ｃに対して偏心距離Ｓだけ偏心して位置している。すなわち、磁気ディスク２０およびスピンドルモータ２２は、中心軸Ｃに対し、僅かに第１領域１５ａ側にずれて配設されている。これにより、筐体１０の第２領域１５ｂは第１領域１５ａに比較して構成部品の設置スペースを広くとることができる。そして、第２領域１５ｂに比較的面積の大きなＶＣＭ２８および電磁ラッチ３２を設けることにより、各構成部品を筐体１０内に効率良く配置することができる。同時に、ＶＣＭ２８のヨーク６３、および永久磁石を大型にすることが可能となる。これにより、一層の小型化が可能なＨＤＤを提供することができる。
【００３２】
また、筐体１０は実装面１１に開口した収納凹所８０を有し、制御回路基板１２上に実装されたコネクタ７５およびこれに接続されたコネクタ８４は収納凹所８０内に配置されている。そのため、制御回路基板１２上に比較的高さの高いコネクタ７５を設けた場合でも、コネクタの高さを収納凹所８０によって吸収し、制御回路基板を含むＨＤＤ全体の厚さを薄くすることができる。これにより、一層小型のＨＤＤが得られる。
【００３３】
筐体１０を構成した第１および第２シェル１０ａ、１０ｂは、一方のシェルに立設された支持ポスト１８により互いに所定の隙間を置いて対向支持されている。そのため、筐体１０に外力が作用した場合でも、筐体１０および内部に収納された構成要素の損傷を防止することができる。この際、各支持ポスト１８の基端は弾性材を介してシェルに固定されているため、衝撃を吸収することができるとともに、第１および第２シェル間の寸法誤差、組立誤差を吸収することができる。更に、支持ポスト１８を用いることにより、第１および第２シェル１０ａ、１０ｂ間のねじ止め箇所を少なくし、組立性、メインテナンス性を向上することが可能となる。
【００３４】
上記のように構成されたカード状かつ携帯可能なＨＤＤは、例えば、携帯電話機、デジタルカメラ、ビデオカメラ、パーソナルデジタルアシスタント（ＰＤＡ）等、種々の電子機器の記録装置として用いることができる。
【００３５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、磁気ディスクの枚数は１枚に限らず、必要に応じて増加可能である。磁気ディスクは、０．８５インチに限らず、１．８インチあるいは２．５インチとしてもよい。また、制御回路基板は、接続ケーブルに代えて、外部機器と接続するためのコネクタを備えた構成としてもよい。
【図面の簡単な説明】
【００３６】
【図１】この発明の第１の実施形態に係るＨＤＤを示す斜視図。
【図２】前記ＨＤＤの分解斜視図。
【図３】前記ＨＤＤの筐体および内部構造を示す分解斜視図。
【図４】前記ＨＤＤの制御回路基板側を示す斜視図。
【図５】前記ＨＤＤの筐体および制御回路基板側を示す断面図。
【図６】図１の線Ａ−Ａに沿ったＨＤＤの断面図。
【符号の説明】
【００３７】
１０…筐体、  １０ａ…第１シェル、  １０ｂ…第２シェル、
１２…制御回路基板、  １８…支持ポスト、  ２０…磁気ディスク、
２２…スピンドルモータ、  ２４…磁気ヘッド、  ２６…キャリッジ、
２８…ＶＣＭ、  ３０…ランプロード機構、  ３４…基板ユニット、
７０…ランプ部材、  ７１、７５、８４…コネクタ、  ８０…収納凹所
【図１】
2005317164.tif 000003
【図２】
2005317164.tif 000004
【図３】
2005317164.tif 000005
【図４】
2005317164.tif 000006
【図５】
2005317164.tif 000007
【図６】
2005317164.tif 000008